【手続補正書】
【提出日】平成15年6月25日(2003.6.25)
【手続補正１】
【補正対象書類名】明細書
【補正対象項目名】発明の名称
【補正方法】変更
【補正の内容】
【発明の名称】環状体のローリング加工方法及び装置
【手続補正２】
【補正対象書類名】明細書
【補正対象項目名】特許請求の範囲
【補正方法】変更
【補正の内容】
【特許請求の範囲】
【請求項１】
環状ワークをその外周面から押圧する成形ロールおよび前記環状ワークをその内周面から押圧するマンドレルの少なくとも一方を回転させつつ、前記成形ロールと前記マンドレルとを近接させることにより、前記成形ロールと前記マンドレルとの間で前記環状ワークを挟圧して、前記環状ワークを周方向に圧延して拡径する環状体のローリング加工方法において、前記圧延・拡径される環状ワークの外径を監視して、該監視されている環状ワークの外径が、前記マンドレルが接する部位とは異なる部位においてその先端が前記環状ワークの内周面に摺接するように構成された測定子の先端を挿入可能な所定の外径に達したときに、前記測定子をその先端が前記環状ワークの内周面に摺接しない位置から摺接する位置に移動させ、前記環状ワークの圧延・拡径に伴う前記測定子の変位量を検出し、該検出された前記測定子の変位量に基づいて、環状ワークの内径を演算することを特徴とする環状体のローリング加工方法。
【請求項２】
環状ワークをその外周面から押圧する成形ロールと、前記環状ワークをその内周面から押圧するマンドレルと、前記成形ロールおよび前記マンドレルの少なくとも一方を回転させる回転手段と、前記成形ロールおよび前記マンドレルの少なくとも一方を移動させて、前記成形ロールと前記マンドレルとを近接させるスライド手段とを備え、前記回転手段により前記成形ロールおよび前記マンドレルの少なくとも一方を回転させつつ、前記スライド手段により前記成形ロールと前記マンドレルとを近接させることにより、前記成形ロールと前記マンドレルとの間で前記環状ワークを挟圧して、前記環状ワークを周方向に圧延して拡径する環状体のローリング加工装置において、前記マンドレルが接する部位とは異なる部位においてその先端が前記環状ワークの内周面に摺接するように構成された測定子と、該測定子をその先端が前記環状ワークの内周面に摺接する位置と摺接しない位置との間で移動させる移動手段と、前記環状ワークの圧延・拡径に伴う前記測定子の変位量を検出する検出手段と、該検出手段により検出された前記測定子の変位量に基づいて、環状ワークの内径を演算する演算手段と、前記圧延・拡径される環状ワークの外径を監視して、該監視されている環状ワークの外径が、前記環状ワークの内径内に前記測定子の先端を挿入可能な所定の外径に達したときに、前記測定子をその先端が前記環状ワークの内周面に摺接する位置に移動させるように前記移動手段を制御する制御手段とを備えたことを特徴とする環状体のローリング加工装置。
【請求項３】
前記制御手段は、前記演算手段により演算された前記環状ワークの内径が、所定の大きさに達したときに、前記環状ワークの圧延・拡径加工を終了することを特徴とする請求項２記載の環状体のローリング加工装置。
【請求項４】
前記制御手段は、前記測定された環状ワークの外径と内径との差分、または前記環状ワークの外径および内径の平均値が所定値に達したときに、前記環状ワークの圧延・拡径加工を終了することを特徴とする請求項２記載の環状体のローリング加工装置。
【手続補正３】
【補正対象書類名】明細書
【補正対象項目名】０００１
【補正方法】変更
【補正の内容】
【０００１】
【発明の属する技術分野】
本発明は、環状体のローリング加工方法及び装置に関し、特に環状ワークの外径および内径をそれぞれ所望の寸法に成形する環状体のローリング加工方法及び装置に関する。


【手続補正４】
【補正対象書類名】明細書
【補正対象項目名】００１４
【補正方法】変更
【補正の内容】
【００１４】
本発明は、上記問題点を解決するためになされたもので、環状ワーク内径の仕上げ精度を向上させることができると共に、サイジング加工の省略を可能にすることができる環状体のローリング加工方法及び装置を提供することを目的とする。


【手続補正５】
【補正対象書類名】明細書
【補正対象項目名】００１６
【補正方法】変更
【補正の内容】
【００１６】
また、上記目的を達成するために、請求項２記載の発明は、環状ワークをその外周面から押圧する成形ロールと、前記環状ワークをその内周面から押圧するマンドレルと、前記成形ロールおよび前記マンドレルの少なくとも一方を回転させる回転手段と、前記成形ロールおよび前記マンドレルの少なくとも一方を移動させて、前記成形ロールと前記マンドレルとを近接させるスライド手段とを備え、前記回転手段により前記成形ロールおよび前記マンドレルの少なくとも一方を回転させつつ、前記スライド手段により前記成形ロールと前記マンドレルとを近接させることにより、前記成形ロールと前記マンドレルとの間で前記環状ワークを挟圧して、前記環状ワークを周方向に圧延して拡径する環状体のローリング加工装置において、前記マンドレルが接する部位とは異なる部位においてその先端が前記環状ワークの内周面に摺接するように構成された測定子と、該測定子をその先端が前記環状ワークの内周面に摺接する位置と摺接しない位置との間で移動させる移動手段と、前記環状ワークの圧延・拡径に伴う前記測定子の変位量を検出する検出手段と、該検出手段により検出された前記測定子の変位量に基づいて、環状ワークの内径を演算する演算手段と、前記圧延・拡径される環状ワークの外径を監視して、該監視されている環状ワークの外径が、前記環状ワークの内径内に前記測定子の先端を挿入可能な所定の外径に達したときに、前記測定子をその先端が前記環状ワークの内周面に摺接する位置に移動させるように前記移動手段を制御する制御手段とを備えたことを特徴とする。


【手続補正６】
【補正対象書類名】明細書
【補正対象項目名】００１７
【補正方法】変更
【補正の内容】
【００１７】
尚、請求項２記載の発明において、前記制御手段は、前記演算手段により演算された前記環状ワークの内径が、所定の大きさに達したときに、前記環状ワークの圧延・拡径加工を終了するようにしてもよい。


【手続補正７】
【補正対象書類名】明細書
【補正対象項目名】００１８
【補正方法】変更
【補正の内容】
【００１８】
また、前記制御手段は、前記測定された環状ワークの外径と内径との差分、または前記環状ワークの外径および内径の平均値が所定値に達したときに、前記環状ワークの圧延・拡径加工を終了するようにしてもよい。
【手続補正８】
【補正対象書類名】明細書
【補正対象項目名】００５４
【補正方法】変更
【補正の内容】
【００５４】
【発明の効果】
請求項１記載の環状体のローリング加工方法によれば、圧延・拡径される環状ワークの外径を監視して、該監視されている環状ワークの外径が、マンドレルが接する部位とは異なる部位においてその先端が環状ワークの内周面に摺接するように構成された測定子の先端を挿入可能な所定の外径に達したときに、測定子をその先端が環状ワークの内周面に摺接しない位置から摺接する位置に移動させ、環状ワークの圧延・拡径に伴う測定子の変位量を検出し、該検出された測定子の変位量に基づいて、環状ワークの内径を演算するので、環状ワークの内径を直接測定しつつ環状ワークを加工することができ、したがって環状ワーク内径の仕上げ精度を向上させることができる。
請求項２記載の環状体のローリング加工装置によれば、マンドレルが接する部位とは異なる部位においてその先端が環状ワークの内周面に摺接するように構成された測定子をその先端が環状ワークの内周面に摺接する位置と摺接しない位置との間で移動させ、環状ワークの圧延・拡径に伴う測定子の変位量に基づいて、環状ワークの内径を演算し、圧延・拡径される環状ワークの外径を監視して、該監視されている環状ワークの外径が、環状ワークの内径内に測定子の先端を挿入可能な所定の外径に達したときに、測定子をその先端が環状ワークの内周面に摺接する位置に移動させるので、環状ワークの内径を直接測定しつつ環状ワークを加工することができ、したがって環状ワーク内径の仕上げ精度を向上させることができる。